(57)【要約】【課題】  低温時でもＮＴＳＣ比が高い、すなわち色の再現性の良い電気光学装置を提供する。【解決手段】  複数の表示ドットの個々に対応して設けられた表示ドット電極と、青色、緑色、赤色の各色を独立して発光する複数の光源ＬＥＤ（Ｂ，Ｇ，Ｒ）と、これらの表示ドット電極の個々に青色信号Ｓb、緑色信号Ｓg 及び赤色信号Ｓr のうちの１つを選択的に付与して表示ドットのオンオフを制御する表示制御回路と、それらの光源を選択的に発光させる発光制御回路とを有する電気光学装置である。表示制御回路は、合計で１フレーム期間となるように分離された２つのフィールド期間を使って青色信号Ｓb’と緑色信号Ｓg’の２色の信号を時間的に分離して表示ドット電極に付与する。青色光ＬＥＤ（Ｂ）の発光タイミングは青色信号Ｓb’の付与タイミングに同期し、緑色光ＬＥＤ（Ｇ）の発光タイミングは緑色信号Ｓg’の付与タイミングに同期する。【選択図】        図２
2006098630.tif 000002
【特許請求の範囲】
【請求項１】
複数の表示ドットの個々に対応して設けられた表示ドット電極と、
青色、緑色、赤色の各色光を独立して発光する複数の光源と、
前記複数の表示ドット電極の個々に青色信号、緑色信号及び赤色信号のうちの１つを選択的に付与して前記表示ドットのオンオフを制御する表示制御手段と、
前記複数の光源を選択的に発光させる発光制御手段とを有し、
前記表示制御手段は、合計で１フレーム期間となるように分離された２つのフィールド期間を使って前記青色信号と前記緑色信号とを時間的に分離して前記表示ドット電極に付与し、
前記発光制御手段による青色光の発光タイミングは前記表示制御手段による前記青色信号の付与タイミングに同期し、
前記発光制御手段による緑色光の発光タイミングは前記表示制御手段による前記緑色信号の付与タイミングに同期する
ことを特徴とする電気光学装置。
【請求項２】
請求項１記載の電気光学装置において、前記表示制御手段は、前記１フレーム期間の全域を使って前記赤色信号を前記表示ドット電極に付与することを特徴とする電気光学装置。
【請求項３】
請求項１又は請求項２記載の電気光学装置において、
前記光源の青色の発光強度及び前記光源の緑色の発光強度は、前記光源の赤色の発光強度よりも高い
ことを特徴とする電気光学装置。
【請求項４】
請求項１から請求項３のいずれか１つに記載の電気光学装置において、
前記光源の青色発光分布と緑色発光分布は所定の波長範囲で重なる
ことを特徴とする電気光学装置。
【請求項５】
請求項１から請求項４のいずれか１つに記載の電気光学装置において、
前記複数の表示ドットの個々に対応して設けられていて青色光だけを透過する青色透過領域と、
前記青色透過領域以外の領域で前記複数の表示ドットの個々に対応して設けられていて緑色光だけを透過する緑色透過領域と、
前記青色透過領域及び前記緑色透過領域以外の領域で前記複数の表示ドットの個々に対応して設けられていて赤色光だけを透過する赤色透過領域とをさらに有し、
前記青色透過領域は前記青色信号が付与される表示ドット電極に対応して配置され、
前記緑色透過領域は前記緑色信号が付与される表示ドット電極に対応して配置され、
前記赤色透過領域は前記赤色信号が付与される表示ドット電極に対応して配置される
ことを特徴とする電気光学装置。
【請求項６】
請求項５記載の電気光学装置において、
前記青色透過領域の光透過率及び前記緑色透過領域の光透過率は、前記赤色透過領域の光透過率よりも高い
ことを特徴とする電気光学装置。
【請求項７】
請求項５又は請求項６のいずれか１つに記載の電気光学装置において、
前記青色透過領域は前記緑色発光を透過させる発光分布特性を有し、
前記緑色透過領域は前記青色発光を透過させる発光分布特性を有する
ことを特徴とする電気光学装置。
【請求項８】
請求項１から請求項４のいずれか１つに記載の電気光学装置において、
前記複数の表示ドットの個々に対応して設けられていて青色及び緑色を透過させると共に赤色は透過させない赤色非透過領域と、
該赤色非透過領域以外で前記複数の表示ドットの個々に対応して設けられていて赤色だけを透過させる赤色透過領域の各色透過領域をさらに有し、
前記赤色非透過領域は前記青色信号及び前記緑色信号が付与される表示ドット電極に対応して配置され、
前記赤色透過領域は前記赤色信号が付与される表示ドット電極に対応して配置される
ことを特徴とする電気光学装置。
【請求項９】
請求項８記載の電気光学装置において、前記赤色非透過領域はシアン色だけを透過させる領域であることを特徴とする電気光学装置。
【請求項１０】
請求項８又は請求項９記載の電気光学装置において、前記赤色非透過領域の面積は前記赤色透過領域の面積の２倍であることを特徴とする電気光学装置。
【請求項１１】
複数の表示ドットの個々に対応して設けられた複数の表示ドット電極と該複数の表示ドット電極に対応して設けられたＲＧＢの着色要素とを備えた電気光学パネルと、
該電気光学パネルに対向して設けられた導光体と、
該導光体の入光面に対向して設けられ、青色、緑色、赤色の各色光を独立して発光する複数の光源と
を有する電気光学装置において、
前記複数の表示ドット電極の個々に青色信号、緑色信号及び赤色信号のうちの１つを選択的に付与して前記表示ドットのオンオフを制御する表示制御手段と、
前記複数の光源を選択的に発光させる発光制御手段とを有し、
前記表示制御手段は、合計で１フレーム期間となるように分離された２つのフィールド期間を使って前記青色信号と前記緑色信号とを時間的に分離して前記表示ドット電極に付与し、
前記発光制御手段による青色光の発光タイミングは前記表示制御手段による前記青色信号の付与タイミングに同期し、
前記発光制御手段による緑色光の発光タイミングは前記表示制御手段による前記緑色信号の付与タイミングに同期する
ことを特徴とする電気光学装置。
【請求項１２】
複数の表示ドットの個々に対応して設けられた表示ドット電極と、
青色、緑色、赤色の各色光を独立して発光する複数の光源と、
前記複数の表示ドット電極の個々に青色信号、緑色信号及び赤色信号のうちの１つを選択的に付与して前記表示ドットのオンオフを制御する表示制御手段と、
前記複数の光源を選択的に発光させる発光制御手段とを有し、
前記表示制御手段は、合計で１フレーム期間となるように分離された２つのフィールド期間を使って前記青色信号、前記緑色信号及び前記赤色信号のうち２つの色信号を時間的に分離して前記表示ドット電極に付与し、
前記発光制御手段によって選択的に発光される２色の光の発光タイミングは前記表示制御手段による当該２色の色信号の付与タイミングに同期する
ことを特徴とする電気光学装置。
【請求項１３】
請求項１から請求項１２のいずれか１つに記載の電気光学装置を有することを特徴とする電子機器。
【請求項１４】
複数の表示ドットの個々に対応して設けられた表示ドット電極と、
青色、緑色、赤色の各色光を独立して発光する複数の光源と、
前記複数の表示ドット電極の個々に青色信号、緑色信号及び赤色信号のうちの１つを選択的に付与して前記表示ドットのオンオフを制御する表示制御手段と、
前記複数の光源を選択的に発光させる発光制御手段とを有する電気光学装置の駆動方法において、
前記表示制御手段は、合計で１フレーム期間となるように分離された２つのフィールド期間を使って前記青色信号と前記緑色信号とを時間的に分離して前記表示ドット電極に付与し、
前記発光制御手段による青色光の発光タイミングは前記表示制御手段による前記青色信号の付与タイミングに同期し、
前記発光制御手段による緑色光の発光タイミングは前記表示制御手段による前記緑色信号の付与タイミングに同期する
ことを特徴とする電気光学装置の駆動方法。
【発明の詳細な説明】
【技術分野】
【０００１】
本発明は、液晶表示装置等を含む電気光学装置に関する。また、本発明は、電気光学装置の駆動方法に関する。また、本発明は、電気光学装置を用いて構成される電子機器に関する。
【背景技術】
【０００２】
現在、液晶表示装置等といった電気光学装置が携帯電話機、携帯情報端末機、ＩＣレコーダ等といった電子機器に広く用いられている。例えば、電子機器に関する各種の情報を文字、数字、図形等といった画像によって表示する表示装置として電気光学装置が用いられている。このように電気光学装置が表示装置として用いられるとき、その電気光学装置にとって色の再現性が重要である。
【０００３】
色の再現性を評価する方法として、従来から、ＣＩＥ色座標を用いた方法が知られている。この方法では、評価対象である色をＣＩＥ色座標上に色三角形として描いた上で、その色三角形の面積を基準の色三角形の面積と比較することによって色の再現性が良いか悪いかを評価する。ここで、基準の色三角形としては、通常、ＮＴＳＣ（National Television System Committee）で定義された基準色をＣＩＥ色座標上に色三角形として表示したものが用いられる。このようにして行われる色の評価の結果は、ＮＴＳＣ比として数値化することができる。
【０００４】
ＮＴＳＣ比はＮＴＳＣ基準色の色三角形の面積に対する評価対象の色三角形の面積であるので、このＮＴＳＣ比が大きいほど、色の再現性が良いと判定できる。例えば、ＣＲＴ（Cathode Ray Tube）を用いたテレビ装置は、そのＮＴＳＣ比は１００％に近い数値となり、色の再現性が良いものと判定できる。また、現在の携帯電話機で用いられている液晶表示装置は、そのＮＴＳＣ比は５０％程度であり、ＣＲＴテレビ装置と比べれば色の再現性が悪いと判定できる。なお、ここで考慮された液晶表示装置は、ＹＡＧ蛍光体を用いた白色ＬＥＤを光源として用いると共に、Ｂ（青色）、Ｇ（緑色）、Ｒ（赤色）の着色要素によって形成されたカラーフィルタを用いる構造の液晶表示装置である。
【０００５】
最近の携帯電話機では表示が明るくなって来ており、表示の色を濃くしないと、見た目の表示が悪くなるという問題が生じている。表示の色を濃くするというのは、とりもなおさず、色の再現性を高くするということである。ここで、色の再現性を高くするための１つの方法として、液晶表示装置をフィールドシーケンシャル駆動して表示を行うことが考えられる。このフィールドシーケンシャル駆動を用いれば、ＮＴＳＣ比をかなり高くでき、従って色の再現性を高くできる。
【０００６】
このフィールドシーケンシャル駆動とは、概説すれば、複数の色信号を各色信号ごとに時間的に分離して表示のための画素に印加すると共に、各色信号に対応したタイミングで各色の光を画素に供給することである（例えば、特許文献１参照）。このフィールドシーケンシャル駆動を用いれば、カラーフィルタを必要としないので、光の透過率を良くすることができ、それ故、色の再現性を高くすることができる。また、画素をＢ，Ｇ，Ｒの３色に分ける必要が無いので、高精細な表示を実現できる。
【０００７】
【特許文献１】特開昭５６−０２７１９８号公報（第２頁、第３図）
【発明の開示】
【発明が解決しようとする課題】
【０００８】
しかしながら、上記のフィールドシーケンシャル駆動を用いた電気光学装置では、１フレームにＢ，Ｇ，Ｒの３つの信号を書き込まなければならず、それに合わせて液晶の応答速度が高くなければならないという問題がある。場合によると、液晶の立ち上がりが高速の書き込みに追従できず、表示の品質が低下するおそれがある。特に、外気の温度が低温、例えば氷点下であると、液晶の応答速度が遅くなって、表示の品質が低下するおそれがある。また、フィールドシーケンシャル駆動を用いた場合には、ドライバの駆動周波数が高くなって、消費電力が高くなるおそれもある。
【０００９】
本発明は、上記の問題に鑑みて成されたものであって、ＮＴＳＣ比の高い、すなわち色の再現性が良い電気光学装置であって、低温時にも色の再現性が劣化しない電気光学装置を提供することを目的とする。
【課題を解決するための手段】
【００１０】
本発明に係る電気光学装置は、複数の表示ドットの個々に対応して設けられた表示ドット電極と、青色（Ｂ）、緑色（Ｇ）、赤色（Ｒ）の各色光を独立して発光する複数の光源と、前記複数の表示ドット電極の個々に青色信号、緑色信号及び赤色信号のうちの１つを選択的に付与して前記表示ドットのオンオフを制御する表示制御手段と、前記複数の光源を選択的に発光させる発光制御手段とを有し、前記表示制御手段は、合計で１フレーム期間となるように分離された２つのフィールド期間を使って前記青色信号と前記緑色信号とを時間的に分離して前記表示ドット電極に付与し、前記発光制御手段による青色光の発光タイミングは前記表示制御手段による前記青色信号の付与タイミングに同期し、前記発光制御手段による緑色光の発光タイミングは前記表示制御手段による前記緑色信号の付与タイミングに同期することを特徴とする。
【００１１】
この電気光学装置では、青色，緑色，赤色の全色に関してフィールドシーケンシャル駆動を行うのではなく、青色及び緑色の２色に関してフィールドシーケンシャル駆動を行い、赤色の１色に関しては通常の駆動、すなわち時分割をしない駆動を行う。青色及び緑色の２色に関してフィールドシーケンシャル駆動を行うことにより、青色と緑色との光の干渉を回避でき、青色と緑色のＣＩＥ色座標上での特性を改善でき、ＮＴＳＣ比を高めることができる。ＮＴＳＣ比を高めることができるということは、すなわち、色の再現性を向上できるということである。
【００１２】
また、従来のフィールドシーケンシャル駆動では１フレームを青色、緑色、赤色の３色ために３分割して３つのフィールドを設けたので、各フィールド時間が短くなり、それ故、液晶を立ち上げるための時間が不十分となり、それ故、表示品質が低下するおそれがあった。特に、外気温が低温の場合には液晶の応答速度が遅くなるので、この現象が顕著であった。これに対し、上記電気光学装置によれば、１フレームの分割数は青色及び緑色の２色のための「２」であり、液晶を立ち上げるために十分な時間を確保できる。このため、液晶の応答速度に起因する表示品質の低下を確実に防止できる。特に、外気温が低温の場合でも、所定のフィールド時間内で液晶を完全に立ち上げることができ、それ故、表示の色を鮮明に出すことができる。
【００１３】
さらに、上記構成の電気光学装置では１フレームの分割数が「２」であるので、１フレームを３分割する従来の装置に比べてドライバの駆動周波数を低くできる。このため、消費電力を低く抑えることができる。
【００１４】
ところで、今、電気光学装置の一例としてカラー表示可能な液晶表示装置を考えるものとする。この液晶表示装置は、例えば、青色（Ｂ），緑色（Ｇ），赤色（Ｒ）の３色の着色要素を有するカラーフィルタを用いて構成できる。一般的な、カラーフィルタのＢ，Ｇ，Ｒの分光分布特性は図９に示す通りである。図９から容易に理解できるように、青色のフィルタ（Ｂ）は緑色の光ＬＥＤ（Ｇ）を拾う傾向にあり、緑色のフィルタ（Ｇ）は青色の光ＬＥＤ（Ｂ）を拾う傾向にある。つまり、Ｂ，Ｇ，Ｒの光をＢ，Ｇ，Ｒのカラーフィルタに同時に照射してカラー表示を行う場合には、青色（Ｂ）と緑色（Ｇ）とが互いに干渉し合って色の再現性が低下することが考えられる。
【００１５】
このことに関し、上記構成の本発明に係る電気光学装置では、青色（Ｂ）及び緑色（Ｇ）の２色に関してフィールドシーケンシャル駆動を行うことにより、カラー表示に際してそれらの色が互いに干渉し合うことを防止した。この結果、色の再現性を高めることができる。
【００１６】
次に、本発明に係る電気光学装置において、前記表示制御手段は、前記１フレーム期間の全域を使って前記赤色信号を前記表示ドット電極に付与することが望ましい。こうすれば、赤色（Ｒ）を鮮明に表示することができる。
【００１７】
次に、本発明に係る電気光学装置において、前記光源の青色（Ｂ）の発光強度及び前記光源の緑色（Ｇ）の発光強度は、前記光源の赤色（Ｒ）の発光強度よりも高いことが望ましい。本発明では、青色（Ｂ）及び緑色（Ｇ）の２色に関してフィールドシーケンシャル駆動を行い、赤色（Ｒ）の１色については１フレーム期間を使って通常の駆動を行うので、Ｂ及びＧに関しての光の供給が少なくなることが考えられる。この場合に、上記のようにＢ及びＧの強度をＲよりも強く設定しておけば、Ｂ，Ｇ，Ｒ間での表示の輝度のバラツキを抑えることができる。
【００１８】
次に、本発明に係る電気光学装置において、前記光源の青色（Ｂ）発光分布と緑色（Ｇ）発光分布は所定の波長範囲で互いに重なることができる。図８は、青色を発光するＬＥＤ（Ｂ）、緑色を発光するＬＥＤ（Ｇ）、及び赤色を発光するＬＥＤ（Ｒ）に関する、一般的な発光分布特性を示している。この図から分かるように、一般的なＬＥＤに関しては、青色（Ｂ）の発光と緑色（Ｇ）の発光が所定の波長範囲Ｈで互いに重なることが知られている。今現在の産業技術レベルでは、青色（Ｂ）の発光と緑色（Ｇ）の発光とを発光分布上で完全に分離させることができる材料は見出されていないと思われる。
【００１９】
本発明では、青色（Ｂ）と緑色（Ｇ）の２色に関してフィールドシーケンシャル駆動を行うことにより、青色（Ｂ）と緑色（Ｇ）とを完全に分離して表示に寄与させることにしたので、上記のように青色（Ｂ）と緑色（Ｇ）とが分光分布上で重なり合う特性の光源を使用する場合でも、ＮＴＳＣ比を高くすること、従って色の再現性を良くすることができる。
【００２０】
次に、本発明に係る電気光学装置は、前記複数の表示ドットの個々に対応して設けられていて青色光だけを透過する青色透過領域と、前記青色透過領域以外の領域で前記複数の表示ドットの個々に対応して設けられていて緑色光だけを透過する緑色透過領域と、前記青色透過領域及び前記緑色透過領域以外の領域で前記複数の表示ドットの個々に対応して設けられていて赤色光だけを透過する赤色透過領域とを有することができる。そして、この場合、前記青色透過領域は前記青色信号が付与される表示ドット電極に対応して配置され、前記緑色透過領域は前記緑色信号が付与される表示ドット電極に対応して配置され、そして、前記赤色透過領域は前記赤色信号が付与される表示ドット電極に対応して配置される。
【００２１】
この構造は、青色（Ｂ）、緑色（Ｇ）、赤色（Ｒ）の３色から成るカラーフィルタを用いる電気光学装置に本発明を適用したものである。従来のフィールドシーケンシャル駆動では、カラーフィルタは用いられなかったが、本発明では赤色（Ｒ）については１フィールド期間の全部を使って駆動させるので、青色（Ｂ）の領域及び緑色Ｇの領域では赤色（Ｒ）が透過しない措置を講じる必要がある。このことに関し、青色（Ｂ）の領域に青色（Ｂ）のフィルタを設け、緑色Ｇの領域に緑色（Ｇ）のフィルタを設ければ、それらの領域での赤色（Ｒ）の透過を防止できる。
【００２２】
次に、青色（Ｂ）、緑色（Ｇ）、赤色（Ｒ）の３色から成るカラーフィルタを用いる上記の電気光学装置においては、前記青色透過領域の光透過率及び前記緑色透過領域の光透過率は、前記赤色透過領域の光透過率よりも高いことが望ましい。本発明では青色（Ｂ）及び緑色Ｇの２色を短い時間で点灯し、赤色（Ｒ）を長い時間で点灯するので、青色（Ｂ）及び緑色（Ｇ）は赤色（Ｒ）に比べて強度が低くなる傾向にある。従って、これらＢ，Ｇの透過領域の光透過率を予め高く設定しておけば、Ｂ，Ｇ，Ｒの３色間の輝度を均一にでき、表示ムラの発生を防止できる。
【００２３】
次に、青色（Ｂ）、緑色（Ｇ）、赤色（Ｒ）の３色から成るカラーフィルタを用いる上記の電気光学装置において、前記青色透過領域は前記緑色発光をも透過させる発光分布特性を有することができ、さらに、前記緑色透過領域は前記青色発光をも透過させる発光分布特性を有することができる。この構成は、光源の発光分布とカラーフィルタの分光分布が、例えば図９に示すような状態にあるような電気光学装置に本発明を適用した場合の発明の態様を示している。つまり、例えば、Ｂ色フィルタはＧ色ＬＥＤの発光をも拾うものであり、Ｇ色フィルタはＢ色ＬＥＤの発光をも拾う状態にあるということである。このようは電気光学装置では、青色（Ｂ）と緑色（Ｇ）との間で色の干渉が生じて色の再現性を損なうおそれがあるが、本発明のように青色（Ｂ）と緑色（Ｇ）の２色間でフィールドシーケンシャル駆動を行えば、そのような光の干渉を防止できる。
【００２４】
次に、本発明に係る電気光学装置は、前記複数の表示ドットの個々に対応して設けられていて青色及び緑色を透過させると共に赤色は透過させない赤色非透過領域と、該赤色非透過領域以外で前記複数の表示ドットの個々に対応して設けられていて赤色だけを透過させる赤色透過領域の各色透過領域をさらに有することができる。そして、この場合、前記赤色非透過領域は前記青色信号及び前記緑色信号が付与される表示ドット電極に対応して配置され、前記赤色透過領域は前記赤色信号が付与される表示ドット電極に対応して配置される。なお、赤色非透過領域は、例えば、その領域にシアン色のフィルタを設けることによって達成できる。
【００２５】
本発明の１つの態様として、青色（Ｂ）、緑色（Ｇ）、赤色（Ｒ）の３色から成るカラーフィルタを用いることができることは、上述した。今考えている本発明の１つの態様は、青色（Ｂ）、緑色（Ｇ）、赤色（Ｒ）の３色から成るカラーフィルタを用いることに代えて、赤色（Ｒ）を通さずに青色（Ｂ）及び緑色（Ｇ）の２色は通す特性のフィルタと、赤色（Ｒ）を通す特性のフィルタとの２種類のフィルタ用いるものである。
【００２６】
従来のフィールドシーケンシャル駆動では、カラーフィルタは用いられなかったが、本発明では赤色（Ｒ）については１フィールド期間の全部を使って駆動されるので、青色（Ｂ）の領域及び緑色Ｇの領域では赤色（Ｒ）が透過しない措置を講じる必要がある。このことに関し、青色（Ｂ）及び緑色（Ｇ）の領域を上記の赤色非透過領域、例えばシアン色領域として設定しておけば、それらの領域での赤色（Ｒ）の透過を防止できる。
【００２７】
次に、本発明に係る電気光学装置は、複数の表示ドットの個々に対応して設けられた複数の表示ドット電極と該複数の表示ドット電極に対応して設けられたＲＧＢの着色要素とを備えた電気光学パネルと、該電気光学パネルに対向して設けられた導光体と、該導光体の入光面に対向して設けられ、青色、緑色、赤色の各色光を独立して発光する複数の光源とを有する。この電気光学装置は、さらに、前記複数の表示ドット電極の個々に青色信号、緑色信号及び赤色信号のうちの１つを選択的に付与して前記表示ドットのオンオフを制御する表示制御手段と、前記複数の光源を選択的に発光させる発光制御手段とを有する。この電気光学装置において、前記表示制御手段は、合計で１フレーム期間となるように分離された２つのフィールド期間を使って前記青色信号と前記緑色信号とを時間的に分離して前記表示ドット電極に付与し、前記発光制御手段による青色光の発光タイミングは前記表示制御手段による前記青色信号の付与タイミングに同期し、前記発光制御手段による緑色光の発光タイミングは前記表示制御手段による前記緑色信号の付与タイミングに同期することを特徴とする。
【００２８】
この電気光学装置では、青色及び緑色の２色に関してフィールドシーケンシャル駆動を行うことにより、青色と緑色との光の干渉を回避でき、青色と緑色のＣＩＥ色座標上での特性を改善でき、ＮＴＳＣ比を高めることができる。ＮＴＳＣ比が高くなるということは、色の再現性が向上するということである。
【００２９】
また、上記の電気光学装置によれば、１フレームの分割数は青色及び緑色の２色のための「２」であり、液晶を立ち上げるために十分な時間を確保できる。このため、液晶の応答速度に起因する表示品質の低下を確実に防止できる。特に、外気温が低温の場合でも、所定のフィールド時間内で液晶を完全に立ち上げることができ、それ故、表示の色を鮮明に出すことができる。さらに、上記構成の電気光学装置では１フレームの分割数が「２」であるので、１フレームを３分割する従来の装置に比べてドライバの駆動周波数を低くできる。このため、消費電力を低く抑えることができる。
【００３０】
また、上記構成の電気光学装置では、青色及び緑色の２色に関してフィールドシーケンシャル駆動を行うことにより、カラー表示に際してそれらの色が互いに干渉し合うことを防止した。この結果、色の再現性を高めることができる。
【００３１】
次に、本発明に係る電気光学装置は、複数の表示ドットの個々に対応して設けられた表示ドット電極と、青色、緑色、赤色の各色光を独立して発光する複数の光源と、前記複数の表示ドット電極の個々に青色信号、緑色信号及び赤色信号のうちの１つを選択的に付与して前記表示ドットのオンオフを制御する表示制御手段と、前記複数の光源を選択的に発光させる発光制御手段とを有する。そして、前記表示制御手段は、合計で１フレーム期間となるように分離された２つのフィールド期間を使って前記青色信号、前記緑色信号及び前記赤色信号のうち２つの色信号を時間的に分離して前記表示ドット電極に付与し、前記発光制御手段によって選択的に発光される２色の光の発光タイミングは前記表示制御手段による当該２色の色信号の付与タイミングに同期することを特徴とする。
【００３２】
この電気光学装置では、青色、緑色、赤色の全色に関してフィールドシーケンシャル駆動を行うのではなく、青色、緑色、赤色のうちの２色に関してフィールドシーケンシャル駆動を行い、それ以外の１色に関しては通常の駆動、すなわち時分割をしない駆動を行う。つまり、１フレームの分割数は２色のための「２」であり、液晶を立ち上げるために十分な時間を確保できる。このため、液晶の応答速度に起因する表示品質の低下を確実に防止できる。特に、外気温が低温の場合でも、所定のフィールド時間内で液晶を完全に立ち上げることができ、それ故、表示の色を鮮明に出すことができる。
【００３３】
次に、本発明に係る電子機器は、以上に記載した構成の電気光学装置を有することを特徴とする。このような電子機器としては、携帯電話機、携帯情報端末機、ＩＣレコーダ、パーソナルコンピュータ、その他種々の電子機器が考えられる。本発明に係る電気光学装置によれば、色の再現性が良い表示を行うことができるので、その電気光学装置を用いた本発明の電子機器においても、電子機器に関連する表示において色の再現性が良い表示ができる。
【００３４】
次に、本発明に係る電気光学装置の駆動方法は、複数の表示ドットの個々に対応して設けられた表示ドット電極と、青色、緑色、赤色の各色光を独立して発光する複数の光源と、前記複数の表示ドット電極の個々に青色信号、緑色信号及び赤色信号のうちの１つを選択的に付与して前記表示ドットのオンオフを制御する表示制御手段と、前記複数の光源を選択的に発光させる発光制御手段とを有する電気光学装置の駆動方法である。この電気光学装置の駆動方法において、前記表示制御手段は、合計で１フレーム期間となるように分離された２つのフィールド期間を使って前記青色信号と前記緑色信号とを時間的に分離して前記表示ドット電極に付与し、前記発光制御手段による青色光の発光タイミングは前記表示制御手段による前記青色信号の付与タイミングに同期し、前記発光制御手段による緑色光の発光タイミングは前記表示制御手段による前記緑色信号の付与タイミングに同期することを特徴とする。
【００３５】
この電気光学装置の駆動方法では、青色及び緑色の２色に関してフィールドシーケンシャル駆動を行うことにより、青色と緑色との光の干渉を回避でき、青色と緑色のＣＩＥ色座標上での特性を改善でき、ＮＴＳＣ比を高めることができる。ＮＴＳＣ比が高くなるということは、色の再現性が向上するということである。
【００３６】
また、上記の電気光学装置の駆動方法によれば、１フレームの分割数は青色及び緑色の２色のための「２」であり、液晶を立ち上げるために十分な時間を確保できる。このため、液晶の応答速度に起因する表示品質の低下を確実に防止できる。特に、外気温が低温の場合でも、所定のフィールド時間内で液晶を完全に立ち上げることができ、それ故、表示の色を鮮明に出すことができる。さらに、上記構成の電気光学装置では１フレームの分割数が「２」であるので、１フレームを３分割する従来の装置に比べてドライバの駆動周波数を低くできる。このため、消費電力を低く抑えることができる。
【００３７】
また、上記の電気光学装置の駆動方法では、青色（Ｂ）及び緑色（Ｇ）の２色に関してフィールドシーケンシャル駆動を行うことにより、カラー表示に際してそれらの色が互いに干渉し合うことを防止した。この結果、色の再現性を高めることができる。
【発明を実施するための最良の形態】
【００３８】
（電気光学装置および電気光学装置の駆動方法の第１実施形態）
以下、本発明に係る電気光学装置をその一例である液晶表示装置を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素をわかり易く示すため、各要素を実際とは異なった相対的な寸法で示している。
【００３９】
図１は、本発明に係る電気光学装置の一実施形態である液晶表示装置１の全体をブロック図で示している。ここに示す液晶表示装置１は、液晶パネルユニット２と、表示制御回路３と、発光制御回路４と、同期信号発生回路６とを有する。液晶パネルユニット２は、電気光学パネルとしての液晶パネル７と、液晶パネル７を駆動するためのデータ線駆動回路８と、データ線駆動回路８と協働して液晶パネル７を駆動するための走査線駆動回路９と、液晶パネル７へ光を供給する照明装置１１とを有する。
【００４０】
表示制御回路３は、青色（Ｂ）、緑色（Ｇ）、赤色（Ｒ）の各色に対応する色信号Ｓｂ，Ｓｇ，Ｓｒを外部から受け取って、それらに加工を加え、加工後の色信号Ｓｂ’，Ｓｇ’，Ｓｒ’を液晶パネルユニット２内のデータ線駆動回路８へ伝送する。また、表示制御回路３は、走査線駆動回路９を駆動するための信号をその走査線駆動回路９へ伝送する。色信号Ｓｂ，Ｓｇ，Ｓｒは、例えば、携帯電話機、携帯情報端末機、ＩＣレコーダ等といった電子機器から信号線を通して伝送されたり、ホストサーバから無線通信によって伝送されたり、その他任意の通信手段によって外部から伝送されたりする。
【００４１】
発光制御回路４は、照明装置１１の発光を制御する。また、同期信号発生回路６は所定の周期の同期信号を発生する。表示制御回路３は、同期信号発生回路６から出力される同期信号に基づいて、加工後の色信号Ｓｂ’，Ｓｇ’，Ｓｒ’を出力する。また、発光制御回路４は、同期信号発生回路６から出力される同期信号に基づいて、照明装置１１を制御するための信号を出力する。つまり、表示制御回路３と発光制御回路４は、同期信号発生回路６から出力される同期信号に基づいて、それぞれの出力信号を互いに同期させた状態で出力することができる。
【００４２】
液晶パネルユニット２は、例えば、図３に示すように構成できる。ここに示す液晶パネルユニット２は、スイッチング素子としてアモルファスシリコンＴＦＴ（Thin Film Transistor）素子を用いるアクティブマトリクス方式であって、透過型であって、さらにカラー表示が可能である液晶パネルユニットである。
【００４３】
図３において、液晶パネルユニット２は、液晶パネル７に駆動用ＩＣ１２を実装し、さらに液晶パネル７に照明装置１１を組み付けることによって形成される。観察者は矢印Ａ方向から表示を視認する。なお、液晶パネル７には必要に応じてその他の部品要素、例えばＦＰＣ（Flexible Printed Circuit）が装着される。
【００４４】
液晶パネル７は、素子基板１３とカラーフィルタ基板１４とをシール材１６で貼り合わせることによって形成されている。シール材１６は、矢印Ａ方向から見て正方形又は長方形、すなわち方形の環状に形成されている。素子基板１３とカラーフィルタ基板１４との間に形成されたセルギャップ内には電気光学物質としての液晶、例えばＴＮ液晶が封入されて液晶層１７が形成されている。セルギャップは、球状のスペーサ１８によって一定の間隔に保持される。
【００４５】
素子基板１３は矢印Ａ方向から見て方形状で透光性を有する第１の基板１９ａを有する。この第１基板１９ａは、例えば、透明なガラス、透明なプラスチックによって形成されている。この第１基板１９ａの外側表面には、位相差板２１ａが設けられ、さらにその上に偏光板２２ａが設けられる。なお、必要に応じて、位相差板２１ａを省略することができる。また、必要に応じて、位相差板、偏光板以外の光学シートを追加することもできる。
【００４６】
第１基板１９ａの液晶側表面にはアクティブ素子又はスイッチング素子としてのＴＦＴ素子２３が複数個設けられ、さらに、個々のＴＦＴ素子２３にドット電極２４が付設される。複数のドット電極２４は、例えばＩＴＯを材料としてフォトエッチング処理によって形成され、矢印Ａ方向から見てドットマトリクス状に並んでいる。
【００４７】
ＴＦＴ素子２３及びドット電極２４の上には配向膜２６ａが形成される。そして、この配向膜２６ａに配向処理、例えばラビング処理が施され、これにより、その配向膜２６ａの近傍の液晶分子の配向が決められる。配向膜２６ａは、例えば、ポリイミド溶液を塗布及び焼成して形成したり、オフセット印刷によって形成したりする。
【００４８】
本実施形態で用いるＴＦＴ素子２３はアモルファスシリコンＴＦＴであり、このＴＦＴ素子２３は、例えば図４に示すように、ゲート電極３１と、ゲート絶縁膜３２と、ａ−Ｓｉ（アモルファスシリコン）等によって形成された半導体層３３と、ソース電極３４と、そしてドレイン電極３５とを有する。ドレイン電極３５は、その一端が半導体層３３に接続し、その他端がドット電極２４に接続する。ソース電極３４は図４の紙面垂直方向に延びるソース電極線３４’の一部として形成されている。また、ゲート電極３１は、ソース電極線３４’と直角の方向すなわち図４の左右方向に延びるゲート電極線３１’から延びている。
【００４９】
図３に戻って、素子基板１３に対向するカラーフィルタ基板１４は、矢印Ａ方向から見て方形状で透光性を有する第２の基板１９ｂを有する。この第２基板１９ｂは、例えば、透明なガラス、透明なプラスチックによって形成されている。この第２基板１９ｂの外側表面には、位相差板２１ｂが設けられ、さらにその上に偏光板２２ｂが設けられる。なお、必要に応じて、位相差板２１ｂを省略することができる。また、必要に応じて、位相差板、偏光板以外の光学シートを追加することもできる。
【００５０】
第２基板１９ｂの液晶側表面には、図４に示すように、遮光部材３７が矢印Ａ方向から見て格子状に設けられる。そして、この遮光部材３７によって囲まれる複数の領域内にフィルタとしての着色要素３８が設けられる。複数の着色要素３８は図７に示すように青色（Ｂ），緑色（Ｇ），赤色（Ｒ）のいずれかに着色され、それらの着色要素３８は図３の矢印Ａ方向から見て所定の配列、例えばストライプ配列、モザイク配列、デルタ配列に配列されている。図７では、各着色要素３８がストライプ配列に配列された状態を示している。
【００５１】
図４において、遮光部材３７及び着色要素３８の上にはオーバーコート層３９が設けられ、その上に共通電極４１が設けられ、さらにその上に配向膜２６ｂが設けられる。共通電極４１は、例えば、ＩＴＯを材料としてフォトエッチング処理によって形成される。この共通電極４１は第２基板１９ｂ上に一様な厚さで形成された面状電極である。上記の配向膜２６ｂには配向処理、例えばラビング処理が施され、これにより、その配向膜２６ｂの近傍の液晶分子の配向が決められる。
【００５２】
オーバーコート層３９は、例えば、エポキシ系又はアクリル系の樹脂材料を塗布及び焼成して形成したり、あるいは、必要に応じて、エポキシ系又はアクリル系の樹脂材料にフォトリソグラフィー処理を施すことによって形成される。また、配向膜２６ｂは、例えば、ポリイミド溶液を塗布及び焼成して形成したり、オフセット印刷によって形成したりする。
【００５３】
次に、図３において、素子基板１３上に形成された複数のドット電極２４は矢印Ａ方向から見てドットマトリクス状に配列する。これらのドット電極２４は矢印Ａ方向から見て共通電極４１と重なっている。このようにドット電極２４と共通電極４１とが重なる領域は表示のための最小領域である表示ドットＤを構成する。カラーフィルタ基板１４上の個々の着色要素３８は表示ドットＤに対応して設けられている。着色要素３８を用いない白黒表示の場合は１つの表示ドットＤによって１つの画素が形成されるが、本実施形態のように３色の着色要素３８を用いてカラー表示を行う構造の場合には、図７に示すように、Ｂ，Ｇ，Ｒの３色の着色要素３８の集まりによって１つの画素４２が形成される。
【００５４】
図３において、素子基板１３はカラーフィルタ基板１４の外側へ張り出して、張出し部４３を構成している。駆動用ＩＣ１２はこの張出し部４３の表面に実装されている。この実装は、例えば、ＡＣＦ４４を用いたＣＯＧ技術を用いて行うことができる。張出し部４３の表面には、複数の配線４６及び複数の外部接続端子４７がフォトエッチング処理によって形成される。複数の配線４６の一部は、素子基板１３上のソース電極線３４’（図４参照）及びゲート電極線３１’（図４参照）に直接につながっている。また、複数の配線４６の残りの一部は、シール材１６の内部に分散されている導通材４８を介してカラーフィルタ基板１４側の共通電極４１につながっている。
【００５５】
図３において、照明装置１１は、例えば、透明なプラスチックによって形成された方形状で板状の導光体５１と、点状光源としてのＬＥＤ５２とを有する。導光体５１のうち液晶パネル７と反対側の面には必要に応じて光反射膜を装着することができる。また、導光体５１のうち液晶パネル７に対向する面には必要に応じて光拡散膜を装着することができる。また、光拡散膜の上に、さらに、プリズムシートを装着することもできる。この照明装置１１は、液晶パネル７を背面から照明するバックライトとして機能する。
【００５６】
ＬＥＤ５２は、図６（ａ）に示すように、導光体５１の光入射面５１ａに対向して複数個、一列に並べられている。図において、符号「Ｂ」は青色の光を発光するＬＥＤ５２を示し、符号「Ｇ」は緑色の光を発光するＬＥＤ５２を示し、そして、符号「Ｒ」は赤色の光を発光するＬＥＤ５２を示している。図６（ａ）では、各色のＬＥＤ５２がそれぞれ３個ずつ設けられているが、ＬＥＤ５２の数は必要に応じて任意に決定できる。
【００５７】
また、ＬＥＤ５２は、図６（ｂ）に示すように設けることができる。ここに符号５３で示すものはスリー・ワン・チップ（three-one tip）と呼ばれる発光要素であり、この発光チップ５３の中にＢ，Ｇ，Ｒの各ＬＥＤ５２が１つずつ収容されている。図６（ｂ）では発光チップ５３を３個設けてあるが、必要に応じて、その数を増やしたり、減らしたりすることができる。
【００５８】
本実施形態で用いるＢ，Ｇ，Ｒの各色のＬＥＤ５２は、例えば、図８に示す発光分布特性を有するものとする。この特性は、現在、市場で容易に入手できる一般的なＬＥＤが持っている特性である。図８において、ＬＥＤ（Ｂ）は青色のＬＥＤの発光特性を示し、ＬＥＤ（Ｇ）は緑色のＬＥＤの発光特性を示し、ＬＥＤ（Ｒ）は赤色のＬＥＤの発光特性を示している。この図から容易に理解できるように、赤色のＬＥＤは青色及び緑色のＬＥＤから離れた波長領域で発光する。一方、青色のＬＥＤと緑色のＬＥＤは所定の波長範囲Ｈで重なっている。
【００５９】
このような青色（Ｂ）と緑色（Ｇ）との間での波長の重なりは、カラー表示を観察したときに、色の再現性を低下させる１つの要因になるものと思われる。できれば、青色（Ｂ）と緑色（Ｇ）の波長が互いに完全に離れていることが色の再現性を高める上では好ましいのであるが、現在の技術段階では、そのように青色（Ｂ）と緑色（Ｇ）の波長を互いに離すことは難しいと考えられる。
【００６０】
次に、図９は、本実施形態で用いる着色要素３８とＬＥＤ５２との間、すなわちカラーフィルタと光源との間の光学的な関係を示している。この関係は、現在、市場で容易に入手できる一般的な着色要素及びＬＥＤが持っている特性である。図９において、ＬＥＤ（Ｂ）は青色のＬＥＤの発光特性を示し、ＬＥＤ（Ｇ）は緑色のＬＥＤの発光特性を示し、そして、ＬＥＤ（Ｒ）は赤色のＬＥＤの発光特性を示している。また、フィルタ（Ｂ）は青色透過領域を構成する青色着色要素の分光分布特性を示し、フィルタ（Ｇ）は緑色透過領域を構成する緑色着色要素の分光分布特性を示し、そして、フィルタ（Ｒ）は赤色透過領域を構成する赤色着色要素の分光分布特性を示している。
【００６１】
図９のグラフから分かるように、フィルタ（Ｂ）によって構成される青色透過領域は、青色の発光領域ＬＥＤ（Ｂ）を含むことは当然であるが、それ以外に緑色の発光領域ＬＥＤ（Ｇ）も含んでいる。つまり、青色透過領域は緑色発光をも透過させる分光分布特性を有している。また、フィルタ（Ｇ）によって構成される緑色透過領域は、緑色の発光領域ＬＥＤ（Ｇ）を含むことは当然であるが、それ以外に青色の発光領域ＬＥＤ（Ｂ）も含んでいる。つまり、緑色透過領域は青色発光をも透過させる分光分布特性を有している。
【００６２】
このようにカラーフィルタと光源との関係において、青色（Ｂ）と緑色（Ｇ）との間で干渉が生じることは、カラー表示を観察したときに、色の再現性を低下させる１つの要因になるものと思われる。できれば、青色（Ｂ）と緑色（Ｇ）との間でこのような干渉が全く無いことが色の再現性を高める上では好ましいのであるが、現在の技術段階では、そのような青色（Ｂ）と緑色（Ｇ）との間の干渉を完全に無くすことは難しいと考えられる。
【００６３】
図５は、図３の液晶パネルユニット２の電気的な等価回路を示している。図５において、複数本の走査線３１”が行方向Ｘに延びるように形成される。また、複数本のデータ線３４”が列方向Ｙに延びるように形成されている。走査線３１”は図４のゲート電極線３１’によって実現され、データ線３４”は図４のソース電極線３４’によって実現される。表示ドットＤは走査線３１”とデータ線３４”との各交差部分に形成される。各表示ドットＤにおいては、ＴＦＴ素子２３とドット電極２４とが直列に接続されている。各走査線３１”は走査線駆動回路９につなげられる。一方、各データ線３４”はデータ線駆動回路８につなげられる。走査線駆動回路９及びデータ線駆動回路８は図１に同じ符号で示す回路のことであり、図３の駆動用ＩＣ１２によって構成される。駆動用ＩＣ１２は、共通のＩＣによって両駆動回路８及び９を賄うものであっても良いし、あるいは、両駆動回路８及び９を個別のＩＣに割り当てても良い。
【００６４】
図５において、走査線駆動回路９から出力される走査信号はＴＦＴ素子２３のゲートへ送られ、データ線駆動回路８から出力されるデータ信号はＴＦＴ素子２３のソースへ送られる。ＴＦＴ素子２３がＯＮ状態になると、対応するドット電極２４への通電が成されて対応する表示ドットＤ内の液晶への書き込みが行われる。また、引き続いてＴＦＴ素子２３がＯＦＦ状態になると、書き込まれた状態が保持される。この一連の書き込み動作及び保持動作により、液晶分子がＴＮ構造と垂直配向との間で制御される。
【００６５】
以上のように構成された液晶パネルユニット２によれば、図３において、照明装置１１のＬＥＤ５２が点灯すると、それからの光が導光体５１の光入射面５１ａから導光体５１の内部へ導かれ、さらに、光出射面５１ｂから面状の光として出射する。そして、この出射光が素子基板１３を透過して液晶層１７へ供給される。
【００６６】
こうして液晶層１７へ光が供給される間、素子基板１３側のドット電極２４とカラーフィルタ基板１４側の共通電極４１との間には、走査信号及びデータ信号によって規定される所定の電圧が表示ドットＤごとに印加され、これにより、液晶層１７内の液晶分子の配向がＴＮ構造と垂直配向との間で表示ドットＤごとに制御され、この結果、液晶層１７に供給された光が表示ドットＤごとに変調される。この変調された光が、偏光板２２ｂを通過するとき、その偏光板２２ｂの偏光特性に従って表示ドットＤごとに光の通過が制御され、これにより、カラーフィルタ基板１４の表面に文字、数字、図形等といった像が表示され、これが、矢印Ａ方向から視認される。このとき、遮光部材３７は、表示ドットＤの間から光が漏れることを防止するためのブラックマスクとして機能する。
【００６７】
以下、上記構成より成る液晶表示装置についてその動作を説明する。なお、本実施形態では、フィールドシーケンシャル駆動を利用して液晶表示装置を駆動するのであるが、そのフィールドシーケンシャル駆動は従来一般的に知られているフィールドシーケンシャル駆動と少し違っているので、以下にその違いを中心として説明する。
【００６８】
図１において、表示制御回路３に青色（Ｂ）、緑色（Ｇ）、赤色（Ｒ）のそれぞれの色信号Ｓｂ，Ｓｇ，Ｓｒが入力される。これらの信号は、図２（ａ）に示すように、１フレーム分の色信号Ｓｂ，Ｓｇ，Ｓｒである。通常のフィールドシーケンシャル駆動では、１フレームを３つのフィールドに分割し、それぞれのフィールド内でＳｂ，Ｓｇ，Ｓｒの各色信号に基づいて液晶パネル７を駆動する。例えば、１フレーム期間が１／６０秒であれば、青色（Ｂ）の書き込みを１／６０×３＝１／１８０秒で行い、続いて緑色（Ｇ）の書き込みを次の１／１８０秒で行い、そして赤色（Ｒ）の書き込みを次の１／１８０秒で行う。そして、青色（Ｂ）の書き込みに同期して青色の光源だけを発光させ、緑色（Ｇ）の書き込みに同期して緑色の光源だけを発光させ、そして、赤色（Ｒ）の書き込みに同期して赤色の光源だけを発光させる。なお、この場合には、Ｂ，Ｇ，Ｒのカラーフィルタを設ける必要はない。
【００６９】
これに対し、本実施形態では、図２（ｂ）に示すように、青色（Ｂ）と緑色（Ｇ）の２色に関して１フレーム期間を２等分して２つのフィールド期間を設定し、第１フィールドで青色信号Ｓｂ’を出力し、続く第２フィールドで緑色信号Ｓｇ’を出力する。もちろん、出力の順番を青色信号Ｓｂ’と緑色信号Ｓｇ’との間で入れ替えても良い。そして、図２（ｃ）に示すように、青色ＬＥＤ（Ｂ）を青色信号Ｓｂ’に同期させて第１フィールド期間内だけで発光させ、緑色ＬＥＤ（Ｇ）を緑色信号Ｓｇ’に同期させて第２フィールド期間内だけで発光させる。
【００７０】
一方、赤色信号Ｓｒに関しては、図２（ｂ）に「Ｓｒ’」で示すように、１フレーム期間を使って信号Ｓｒ’を出力し、赤色ＬＥＤ（Ｒ）は常時点灯させておく。つまり、本実施形態では、青色（Ｂ）及び緑色（Ｇ）の２色に関してフィールドシーケンシャル駆動を行い、赤色（Ｒ）に関しては１フレーム期間を使った通常の駆動を行う。赤色ＬＥＤを常時点灯させるようにしたので、従来のフィールドシーケンシャル駆動の場合のようにカラーフィルタを使用しないと、青色（Ｂ）及び緑色（Ｇ）に対応する表示ドット領域で正常な色表示ができなくなる。これに対し、本実施形態では、図７に示したように、１画素４２の中の青色領域に対して青色（Ｂ）の着色要素３８を設け、緑色領域に対して緑色（Ｇ）の着色要素３８を設け、いずれの領域でも赤色（Ｒ）は透過させないようにしたので、そのような赤色光による表示不良の心配は無い。
【００７１】
本実施形態で用いるＬＥＤの光源に関しては、図８に示したように、青色（Ｂ）と緑色（Ｇ）との間で所定の波長範囲Ｈ内で波長の重なりが生じている。この場合に何等の措置も講じないと、この波長の重なりに起因して色の再現性が低下するおそれがある。これに対し、本実施形態では、上記の通り、青色（Ｂ）と緑色（Ｇ）の２色に関してフィールドシーケンシャル駆動を行うので、これらの色の重なりに起因する色の再現性の低下を回避できる。
【００７２】
また、本実施形態で用いるＬＥＤの光源とカラーフィルタの着色要素との関係に関しては、図９に示したように、青色（Ｂ）と緑色（Ｇ）との間で色の干渉が生じるおそれがある。この場合に何等の措置も講じないと、この色の干渉に起因して色の再現性が低下するおそれがある。これに対し、本実施形態では、上記の通り、青色（Ｂ）と緑色（Ｇ）の２色に関してフィールドシーケンシャル駆動を行うので、そのような色の干渉に起因する色の再現性の低下を回避できる。
【００７３】
以上のように、本実施形態によれば、青色（Ｂ）と緑色（Ｇ）の２色に関してフィールドシーケンシャル駆動を行うことにより、青色（Ｂ）と緑色（Ｇ）の２色を良好に差別化することが可能となり、それ故、ＣＩＥ色座標における色三角形を大きくすることができ、それ故、ＮＴＳＣ比を大きく、すなわちＮＴＳＣ比を向上することができた。ＮＴＳＣ比が大きいということは、とりもなおさず、表示における色の再現性が良いということである。
【００７４】
また、従来のフィールドシーケンシャル駆動では１フレームを青色、緑色、赤色の３色ために３分割して３つのフィールドを設けたので、各フィールド時間が短くなり、それ故、液晶を立ち上げるための時間が不十分となり、それ故、表示品質が低下するおそれがあった。特に、外気温が低温の場合には液晶の応答速度が遅くなるので、この現象が顕著であった。これに対し、本実施形態では、１フレームの分割数は青色及び緑色の２色のための「２」であり、液晶を立ち上げるために十分な時間を確保できる。このため、液晶の応答速度に起因する表示品質の低下を確実に防止できる。特に、外気温が低温の場合でも、所定のフィールド時間内で液晶を完全に立ち上げることができ、それ故、表示の色を鮮明に出すことができる。
【００７５】
さらに、本実施形態では１フレームの分割数が「２」であるので、１フレームを３分割する従来の液晶表示装置に比べてドライバの駆動周波数を低くできる。このため、消費電力を低く抑えることができる。
【００７６】
なお、本実施形態で用いる照明装置１１において、青色（Ｂ）の発光強度及び緑色（Ｇ）の発光強度は、赤色（Ｒ）の発光強度よりも高いことが望ましい。その理由は、図２（ｃ）に示したようにフィールドシーケンシャル駆動される青色（Ｂ）と緑色（Ｇ）の発光時間は、フィールドシーケンシャル駆動されない赤色（Ｒ）の発光時間よりも短いので、それを補うためである。
【００７７】
また、図７において、青色透過領域である青色（Ｂ）の着色要素３８の光透過率及び緑色透過領域である緑色（Ｇ）の着色要素３８の光透過率は、赤色透過領域である赤色（Ｒ）の着色要素３８の光透過率よりも高いことが望ましい。その理由は、図２（ｃ）に示したようにフィールドシーケンシャル駆動される青色（Ｂ）と緑色（Ｇ）の発光時間は、フィールドシーケンシャル駆動されない赤色（Ｒ）の発光時間よりも短いので、それを補うためである。
【００７８】
（電気光学装置および電気光学装置の駆動方法の第２実施形態）
次に、本発明に係る電気光学装置の他の実施形態を説明する。図１０は、他の実施形態に係る液晶表示装置の主要部を示している。先の実施形態では、カラーフィルタを構成する図３の複数のフィルタである着色要素３８として、図７に示したように、青色（Ｂ）、緑色（Ｇ）、赤色（Ｒ）の３色の着色要素３８を用いた。これに対して、本実施形態では、図１０（ａ）及び図１０（ｂ）に示すように、着色要素３８として、シアン（Ｃ）及び赤色（Ｒ）の２色を用いている。シアン（Ｃ）は、青色光及び緑色光を透過させると共に赤色光は透過させないフィルタとして、すなわち赤色非透過領域として用いられるものである。
【００７９】
図１０（ａ）では、３つの表示ドットＤで１つの画素４２を形成し、２つの表示ドットＤに対応してシアン（Ｃ）を配置し、１つの表示ドットＤに対応して赤色（Ｒ）を配置した。このため、シアン（Ｃ）の面積は赤色（Ｒ）の面積の２倍となっている。一方、図１０（ｂ）では、２つの表示ドットＤで１つの画素４２を形成し、１つの表示ドットＤに対応してシアン（Ｃ）を配置し、残りの１つの表示ドットＤに対応して赤色（Ｒ）を配置した。このため、シアン（Ｃ）の面積と赤色（Ｒ）の面積は等しくなっている。
【００８０】
本実施形態において、着色要素３８以外の液晶表示装置の構成要素は、図１〜図６で示した先の実施形態の場合と同じとすることができる。本実施形態では、図２（ｃ）で示すように常時発光するＬＥＤ（Ｒ）からの赤色光が、図１０（ａ）及び図１０（ｂ）における赤色（Ｒ）以外の領域でフィルタを透過することを、シアン（Ｃ）のフィルタによって防止できる。このため、青色（Ｂ）と緑色（Ｇ）の２色に関してフィールドシーケンシャル駆動を行うと共に赤色（Ｒ）は通常のように常時に駆動するという、本発明の液晶パネルの駆動方法を問題なく実施できる。
【００８１】
（その他の実施形態）
以上、好ましい実施形態を挙げて本発明を説明したが、本発明はその実施形態に限定されるものでなく、請求の範囲に記載した発明の範囲内で種々に改変できる。
例えば、図１に示す実施形態ではデータ線駆動回路８へ供給するＢ，Ｇ，Ｒそれぞれの色信号に加工を加えてフィールドシーケンシャル駆動を実現した。しかしながら、その他の方法でフィールドシーケンシャル駆動が実現できるのであれば、実現可能なその他の方法を採用できることはもちろんである。
【００８２】
また、上記実施形態ではＴＮ型の液晶を用いたが、本発明は、（１）ＳＴＮ（Super Twisted Nematic）型の液晶を用いた液晶表示装置や、（２）ＢＴＮ（Bi-stable Twisted Nematic）型、強誘電型等といったメモリ性を有する双安定型の液晶を用いた液晶表示装置や、（３）高分子分散型の液晶を用いた液晶表示装置や、（４）ＧＨ（ゲストホスト）型の液晶を用いた液晶表示装置等といった各種の液晶表示装置にも適用できる。
【００８３】
また、図３の実施形態では透過型の液晶表示装置に本発明を適用したが、本発明は、反射型の液晶表示装置や、半透過反射型の液晶表示装置にも適用できる。半透過反射型とは、反射型表示と透過型表示のどちらも可能な採光方式のことである。
【００８４】
また、本発明は、ホメオトロピック配向の液晶を用いた液晶表示装置や、ホモジニアス配向の液晶を用い液晶表示装置や、横電界方式の液晶表示装置にも適用できる。ホメオトロピック配向とは、電圧無印加時には液晶分子が両基板に対して垂直方向に配列する一方、電圧印加時には液晶分子が両基板に対して水平方向に配列する、という垂直配向のことである。また、ホモジニアス配向とは、電圧無印加時には液晶分子が両基板に対して水平方向に配列する一方、電圧印加時には液晶分子が両基板に対して垂直方向に配列する、という平行配向又は水平配向のことである。
【００８５】
また、上記実施形態では、スイッチング素子として３端子型素子であるアモルファスシリコンＴＦＴを用いたが、その他の３端子型素子、例えば低温ポリシリコンＴＦＴ、高温ポリシリコンＴＦＴを用いることもできる。また、スイッチング素子は２端子型素子を用いることができる。この２端子型素子としては、例えば、ＴＦＤ（Thin Film Diode）素子を用いることができる。また、本発明は、スイッチング素子を用いない単純マトリクス方式の液晶表示装置にも適用できる。
【００８６】
（電子機器の実施形態）
以下、本発明に係る電子機器を実施形態を挙げて説明する。なお、この実施形態は本発明の一例を示すものであり、本発明はこの実施形態に限定されるものではない。図１４は、本発明に係る電子機器の一実施形態のブロック図を示している。ここに示す電子機器は、液晶パネルユニット６１と、これを制御する制御回路６０とを有する。液晶パネルユニット６１は、電気光学パネルとしての液晶パネル６２と、半導体ＩＣ等で構成される駆動回路６３と、照明装置６４とを有する。照明装置６４は、導光体６６と、緑色（Ｇ），青色（Ｂ），赤色（Ｒ）の各色光を独立して発光する光源６５とを有する。
【００８７】
制御回路６０は、表示情報出力源７１と、表示情報処理回路７４と、発光制御回路７２と、同期信号発生回路７３と、電源回路７５と、タイミングジェネレータ７６とを有する。表示情報出力源７１は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。この表示情報出力源７１は、タイミングジェネレータ７６によって生成された各種のクロック信号に基づいて、所定フォーマットの画像信号等の形で表示情報を表示情報処理回路７４に供給する。また、電源回路７５は、上記の各構成要素にそれぞれ所定の電圧を供給する。
【００８８】
表示情報処理回路７４は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路６３へ供給する。駆動回路６３は、走査線駆動回路、データ線駆動回路及び検査回路を含む。発光制御回路７２は、照明装置６４内の光源６５の発光を制御する。同期信号発生回路７３は、表示情報処理回路７４の出力信号と発光制御回路７２の出力信号とを互いに同期させる同期信号を出力する。
【００８９】
液晶パネルユニット６１は、例えば、図１に示した液晶パネルユニット２によって構成できる。この液晶パネルユニット２では、青色（Ｂ）と緑色（Ｇ）の２色に関してフィールドシーケンシャル駆動を行うことにより、ＮＴＳＣ比を向上すること、すなわち、表示における色の再現性を良くすることができる。それ故、その液晶パネルユニット２を用いた本実施形態の電子機器においても、表示における色の再現性を良くすることができる。
【００９０】
次に、図１５は、本発明を電子機器の一例である携帯電話機に適用した場合の一実施形態を示している。ここに示す携帯電話機８０は、本体部８１と、これに開閉可能に設けられた表示体部８２とを有する。表示体部８２の内部には液晶パネルユニット８３が配置され、電話通信等に関する各種表示は、表示体部８２に設けた表示画面８４によって視認できる。本体部８１には操作ボタン８６が配列されている。
【００９１】
表示体部８２の一端部にはアンテナ８７が伸縮自在に取付けられている。表示体部８２の上部に設けられた受話部８８の内部には、図示しないスピーカが配置される。また、本体部８１の下端部に設けられた送話部８９の内部には図示しないマイクが内蔵されている。表示パネルユニット８３の動作を制御するための制御部は、携帯電話機の全体の制御を司る制御部の一部として、又はその制御部とは別に、本体部８１又は表示体部８２の内部に格納される。
【００９２】
表示パネルユニット８３は、例えば、図１に示した液晶パネルユニット２によって構成できる。この液晶パネルユニット２では、青色（Ｂ）と緑色（Ｇ）の２色に関してフィールドシーケンシャル駆動を行うことにより、ＮＴＳＣ比を向上すること、すなわち、表示における色の再現性を良くすることができる。それ故、その液晶パネルユニット２を用いた本実施形態の電子機器においても、表示における色の再現性を良くすることができる。
【００９３】
（変形例）
本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、その他各種の機器が考えられる。
【実施例】
【００９４】
次に、図１に示した液晶表示装置１を用いて行った実験について説明する。なお、この実験では以下の液晶表示装置を用意した。
（１）本発明品
（イ）図７に示すＢ，Ｇ，Ｒのフィルタ構成で、（ロ）図６（ａ）に示すＢ，Ｇ，Ｒ光源を用い、（ハ）図２に示す本発明のフィールドシーケンシャル駆動（いわば、一部フィールドシーケンシャル駆動）を行った。
【００９５】
（２）従来品１
（イ）図７に示すＢ，Ｇ，Ｒのフィルタ構成で、（ロ）ＬＥＤ光源としてＹＡＧ蛍光体を備えた白色ＬＥＤを用い、（ハ）フィールドシーケンシャル駆動でない通常の駆動を行った。
ここで、ＹＡＧ蛍光体を備えた白色ＬＥＤとは、図１２に示すように、発光要素として青色ＬＥＤ５６を用い、その青色ＬＥＤ５６の発光面にＹＡＧ蛍光体５７を含んだ樹脂５８を設けることによって形成されたＬＥＤである。このＬＥＤでは、青色ＬＥＤ５６から発生した青色光が樹脂５８を通過するときに、その青色光の一部がＹＡＧ蛍光体５７に当って黄色光、すなわち緑色光と赤色光との混合光に変換され、これがＹＡＧ蛍光体５７に当らないで外部へ出射した青色光と混合して白色光が得られる。この白色ＬＥＤの発光分布特性は図１３に示す通りである。
【００９６】
（３）従来品２
（イ）図７に示すＢ，Ｇ，Ｒのフィルタ構成で、（ロ）図６（ａ）に示すＢ，Ｇ，Ｒ光源を用いてＢ，Ｇ，Ｒの全てを常時点灯させ、（ハ）フィールドシーケンシャル駆動でない通常の駆動を行った。
【００９７】
以上の各液晶表示装置を作動させて表示を行い。ＣＩＥ色座標上に各液晶表示装置に対応した色三角形を作図したところ、図１１に示す結果が得られた。図１１のグラフから分かるように、ＹＡＧ白色ＬＥＤを用いた従来品（１）及びＢ，Ｇ，ＲのＬＥＤを常時発光させる従来品（２）では、緑色（Ｇ）の頂点が青色（Ｂ）の影響を受けてｙ軸に沿って小さくなり、青色（Ｂ）の頂点が緑色（Ｇ）の影響を受けてｙ軸に沿って大きくなっている。このため、ＮＴＳＣの基準の色三角形に比べて、従来品（１）及び従来品（２）の色三角形はかなり小さくなっている。従って、これら従来品（１）及び従来品（２）のＮＴＳＣ比はかなり小さくて、色の再現性が悪いことが分かる。
【００９８】
一方、本発明品は、赤色（Ｒ）の頂点は従来品（１），（２）と略同じであるが、青色（Ｂ）の頂点及び緑色（Ｇ）の頂点が従来品（１），（２）に比べてＮＴＳＣ基準三角形の各頂点に近づいている。このため、本発明品の色三角形はその面積が大きくて、ＮＴＳＣ比が大きくなっている。つまり、本発明品は色の再現性が向上していることが分かる。
【図面の簡単な説明】
【００９９】
【図１】本発明に係る電気光学装置の一実施形態を示すブロック図である。
【図２】図１の装置の駆動方法の一例を示すタイミングチャートである。
【図３】図１の電気光学装置で用いられる液晶パネルユニットの一例を示す断面図である。
【図４】図３の要部を拡大して示す図である。
【図５】図３の液晶パネルユニットの電気的な等価回路を示す図である。
【図６】図３の液晶パネルユニットで用いる照明装置の一例を示す図である。
【図７】図３の液晶パネルユニットで用いるカラーフィルタの一例を示す図である。
【図８】図６の照明装置で光源として用いるＬＥＤの発光分布特性の一例を示す図である。
【図９】図６に示す光源の波長特性と図７に示すカラーフィルタの波長特性との関係を示すグラフである。
【図１０】カラーフィルタの変形例を示す図である。
【図１１】色の再現性を評価する際に用いられる色三角形の具体例を示す図である。
【図１２】ＬＥＤ光源の一例である白色ＬＥＤの断面構造を示す断面図である。
【図１３】図１２に示す白色ＬＥＤの発光分布特性を示すグラフである。
【図１４】本発明に係る電子機器の一実施形態を示すブロック図である。
【図１５】本発明に係る電子機器の他の実施形態を示斜視図である。
【符号の説明】
【０１００】
１．液晶表示装置（電気光学装置）、  ２．液晶パネルユニット、
７．液晶パネル（電気光学パネル）、  １１．照明装置、  １２．駆動用ＩＣ、
１３．素子基板、  １４．カラーフィルタ基板、  １６．シール材、  １７．液晶層、
１８．スペーサ、  １９ａ．第１基板、  １９ｂ．第２基板、
２１ａ，２１ｂ．位相差板、  ２２ａ，２２ｂ．偏光板、  ２３．ＴＦＴ素子、
２４．ドット電極、  ２６ａ，２６ｂ．配向膜、  ３１．ゲート電極、
３１’．ゲート電極線、  ３１”．走査線、  ３２．ゲート絶縁膜、  ３３．半導体層、
３４．ソース電極、  ３４’．ソース電極線、  ３４”．データ線、
３５．ドレイン電極、  ３７．遮光部材、  ３８．着色要素、
３９．オーバーコート層、  ４１．共通電極、  ４２．画素、  ４３．張出し部、
４４．ＡＣＦ、  ４６．配線、  ４７．外部接続端子、  ４８．導通材、
５１．導光体、  ５１ａ．光入射面、  ５１ｂ．光出射面、  ５２．ＬＥＤ（光源）、
５３．光源チップ、  ５６．青色ＬＥＤ、  ５７．ＹＡＧ蛍光体、  ５８．樹脂、
Ｄ．表示ドット、  ６１．液晶パネルユニット、  ６２．液晶パネル、  
６４．照明装置、  ６５．光源、  ６６．導光体、  ８０．携帯電話機（電子機器）、  ８１．本体部、  ８２．表示体部、  ８３．液晶パネルユニット、８４．表示画面、  
８６．操作ボタン、  ８８．受話部、８９．送話部
【図１】
2006098630.tif 000003
【図２】
2006098630.tif 000004
【図３】
2006098630.tif 000005
【図４】
2006098630.tif 000006
【図５】
2006098630.tif 000007
【図６】
2006098630.tif 000008
【図７】
2006098630.tif 000009
【図８】
2006098630.tif 000010
【図９】
2006098630.tif 000011
【図１０】
2006098630.tif 000012
【図１１】
2006098630.tif 000013
【図１２】
2006098630.tif 000014
【図１３】
2006098630.tif 000015
【図１４】
2006098630.tif 000016
【図１５】
2006098630.tif 000017